(57)【要約】【課題】  製版画像の機密保持の要否を設定し、機密保持指定された製版画像のイメージ表示を製版画像単位で確実に禁止することが可能な、高い情報セキュリティを有する孔版印刷装置を提供する。【解決手段】  画像読取手段７と、製版手段３と、版胴ユニット１２０と、排版手段５と、制御手段２０とを少なくとも備え、  製版画像記憶手段４０と、版画像単位で機密保持指定の設定を入力する手段３１と、製版画像を操作部に表示する製版画像表示手段３２と、版胴ユニットが保有する孔版原紙の製版画像に付与された製版画像番号を記憶する版胴ユニットの記憶装置とをさらに備え、  制御手段２０が、版胴１２に装着されている製版画像の表示が要求された際に、製版画像番号から対応する製版画像の機密保持指定の有無を確認し、機密保持指定が無い場合のみ、対応する製版画像を前記製版画像記憶手段から呼び出して表示する制御を行う孔版印刷装置。【選択図】図１
2013169718.tif 000002
【特許請求の範囲】
【請求項１】
画像を読み取る画像読取手段と、該画像読取手段で読取られた画像データに基づいて孔版原紙に製版する製版手段と、製版がなされた前記孔版原紙を巻装する版胴を含む着脱可能な版胴ユニットと、前記版胴より前記孔版原紙を排版する排版手段と、制御手段とを少なくとも備え、画像読取動作、製版動作、巻装動作、排版動作からなる製版工程を行う孔版印刷装置において、
前記孔版原紙を製版するための製版画像を記憶する製版画像記憶手段と、
製版画像の機密保持の要否に基づき、製版画像単位で機密保持指定の設定を入力する手段と、
前記製版画像記憶手段に記憶された製版画像を操作部に表示する製版画像表示手段と、
前記版胴ユニットが保有する孔版原紙の製版画像に付与された製版画像番号を記憶する版胴ユニットの記憶装置とをさらに備え、
前記制御手段が、前記版胴に装着されている製版画像の表示が要求された際に、前記製版画像番号から対応する製版画像の機密保持指定の有無を確認し、機密保持指定が無い場合のみ、対応する製版画像を前記製版画像記憶手段から呼び出して表示する制御を行うことを特徴とする孔版印刷装置。
【請求項２】
画像を読み取る画像読取手段と、該画像読取手段で読取られた画像データに基づいて孔版原紙に製版する製版手段と、製版がなされた前記孔版原紙を巻装する版胴を含み着脱可能な版胴ユニットと、前記版胴より前記孔版原紙を排版する排版手段と、制御手段とを少なくとも備え、画像読取動作、製版動作、巻装動作、排版動作からなる製版工程を行う孔版印刷装置において、
前記孔版原紙を製版するための製版画像を記憶する製版画像記憶手段と、
製版画像の機密保持の要否に基づき、製版画像単位で機密保持指定の設定を入力する手段と、
前記製版画像記憶手段に記憶された製版画像を操作部に表示する製版画像表示手段と、
前記版胴ユニットが保有する孔版原紙の製版画像の製版画像番号及び機密保持指定の有無を記憶する版胴ユニットの記憶装置とをさらに備え、
前記制御手段が、前記版胴に装着されている製版画像の表示が要求された際に、機密保持指定が無い前記製版画像番号である場合のみ、対応する製版画像を前記製版画像記憶手段から呼び出して表示する制御を行うことを特徴とする孔版印刷装置。
【請求項３】
前記制御手段が、表示が要求された製版画像に機密保持指定がある場合に、機密保持指定の設定解除の入力を受けることにより、前記製版画像番号に対応する製版画像を前記製版画像記憶手段から呼び出して表示することを特徴とする請求項１または２に記載の孔版印刷装置。
【請求項４】
前記制御手段が、機密保持指定の設定解除の入力を受けた後、一定時間の経過後に強制的に機密保持指定の再設定を行うことを特徴とする請求項３に記載の孔版印刷装置。
【請求項５】
両面印刷の際、前記版胴ユニットの記憶装置が、各面の機密保持指定の有無を個別に記憶し、前記制御手段により機密保持指定が無い面の製版画像のみが表示されることを特徴とする請求項１から４のいずれかに記載の孔版印刷装置。
【発明の詳細な説明】
【技術分野】
【０００１】
本発明は、孔版印刷装置に関し、詳しくは製版画像の表示に関する。
【背景技術】
【０００２】
従来より、簡便な印刷方法として孔版印刷装置によるデジタル式感熱孔版印刷が知られている。これは、熱可塑性樹脂フィルムとインキ通過性の多孔性支持体とを貼り合わせてなる感熱孔版原紙（以下、「マスタ」ともいう）に微細な発熱素子が１列に並んだサーマルヘッドを接触させ、この発熱素子に対しパルス的に通電を行いながらマスタをプラテンローラ等のマスタ搬送手段で搬送しながら、画像情報に応じてマスタの熱可塑性樹脂フィルム部分を加熱溶融穿孔させて穿孔画像を形成した後、この製版済みのマスタを版胴に巻装させ、プレスローラ等の押圧手段によって印刷用紙を多孔性円筒状の版胴の外周面に押圧させることで、版胴の開孔部およびマスタの穿孔部分からインキを滲出させ、このインキを印刷用紙に転移させて印刷画像を得るものである。
【０００３】
孔版印刷装置では、製版された版が逆像の状態で版胴ユニットの版胴に巻きつけ装着されている。この版胴ユニットは、印刷装置本体に対して着脱可能になっている。現在装着されている版胴ユニットの版胴に巻かれた版がどういった画像であるかは判別しにくいため、操作パネル等から製版画像イメージ表示して確認できる技術が既に知られている（例えば、特許文献１参照）。
特許文献１には、マスタの無駄を省く目的で、両面印刷用製版を開始する前に両面印刷可能な装置が、用紙の表裏面に両面画像の表裏方向及び該画像位置の少なくとも一つを確認可能に両面画像を作成する技術が開示されている。
【０００４】
一方、孔版印刷装置において、印刷を行う者以外にその印刷物およびその製版済みのマスタの内容を知られたくない場合に機密保持モードを設定可能な孔版印刷装置が提案されている（例えば、特許文献２参照）。
【０００５】
特許文献２には、機密保持モードが設定されていることを版胴の記憶装置に記憶させ、機密保持モードが設定された版胴ドラムを印刷動作させない方法、及び版胴の離脱時にバックアップを行う機能を有する装置が記載されている。
【発明の概要】
【発明が解決しようとする課題】
【０００６】
孔版印刷装置は、教育機関において試験問題の印刷や、官公庁において機密資料などの印刷にも幅広く用いられる。機密保持が必要とされる文書の印刷後に版が版胴に装着されたままになって放置される場合の情報セキュリティ確保のために、セキュリティモードの場合には版胴ユニットを着脱不可にする技術が考えられ、既に知られている。
【０００７】
しかしながら、製版画像のプレビュー表示により画像が容易に確認することができる場合には、上述の対策のみでは情報セキュリティを確保することが極めて困難である。機密情報を有する製版画像を確実に判別し、これを表示させないための制御が求められる。
【０００８】
そこで、本発明は上記課題を鑑み、製版画像の機密保持の要否を設定し、機密保持指定された製版画像のイメージ表示を製版画像単位で確実に禁止することが可能な、高い情報セキュリティを有する孔版印刷装置を提供することを目的とする。
【課題を解決するための手段】
【０００９】
上記課題を解決するために、本発明に係る孔版印刷装置は、
画像を読み取る画像読取手段と、該画像読取手段で読取られた画像データに基づいて孔版原紙に製版する製版手段と、製版がなされた前記孔版原紙を巻装する版胴を含む着脱可能な版胴ユニットと、前記版胴より前記孔版原紙を排版する排版手段と、制御手段とを少なくとも備え、画像読取動作、製版動作、巻装動作、排版動作からなる製版工程を行う孔版印刷装置において、
前記孔版原紙を製版するための製版画像を記憶する製版画像記憶手段と、
製版画像の機密保持の要否に基づき、製版画像単位で機密保持指定の設定を入力する手段と、
前記製版画像記憶手段に記憶された製版画像を操作部に表示する製版画像表示手段と、
前記版胴ユニットが保有する孔版原紙の製版画像に付与された製版画像番号を記憶する版胴ユニットの記憶装置とをさらに備え、
前記制御手段が、前記版胴に装着されている製版画像の表示が要求された際に、前記製版画像番号から対応する製版画像の機密保持指定の有無を確認し、機密保持指定が無い場合のみ、対応する製版画像を前記製版画像記憶手段から呼び出して表示する制御を行うことを特徴とする孔版印刷装置である。
【発明の効果】
【００１０】
本発明の孔版印刷装置によれば、製版画像の機密保持指定を設定し、機密保持指定された製版画像のイメージ表示を製版画像単位で確実に禁止することが可能な、高い情報セキュリティを有する孔版印刷装置を提供することができる。
【図面の簡単な説明】
【００１１】
【図１】本発明の孔版印刷装置の一実施態様を示す概略正面図である。
【図２】本発明の孔版印刷装置の制御手段の一例を説明するブロック図である。
【図３】本発明の孔版印刷装置の制御手段の要部の例を説明するブロック図である。
【図４】製版画像の表示の流れの一例を示すフローチャートである。
【図５】画像記憶装置への記録の流れの一例を示すフローチャートである。
【発明を実施するための形態】
【００１２】
以下、本発明に係る孔版印刷装置について図面を参照して説明する。なお、本発明は以下に示す実施例の実施形態に限定されるものではなく、他の実施形態、追加、修正、削除など、当業者が想到することができる範囲内で変更することができ、いずれの態様においても本発明の作用・効果を奏する限り、本発明の範囲に含まれるものである。
【００１３】
本発明の孔版印刷装置は、画像を読み取る画像読取手段と、該画像読取手段で読取られた画像データに基づいて孔版原紙に製版する製版手段と、製版がなされた前記孔版原紙を巻装する版胴を含む着脱可能な版胴ユニットと、前記版胴より前記孔版原紙を排版する排版手段と、制御手段とを少なくとも備える。版胴ユニットは、前記孔版原紙を装着したままで着脱が可能である。
【００１４】
図１に、本発明の一実施態様である両面印刷が可能な孔版印刷装置１の概略正面図を示す。
図１に示すように、孔版印刷装置１は、印刷部２、製版部（製版手段）３、給紙部４、排版部（排版手段）５、排紙部６、画像読取部（画像読取手段）７、再給紙トレイ８、再給紙手段９、切換手段としての切換部材１０、版胴１２等を有している。なお、版胴ユニットは版胴１２及び後述する他の機構部（例えば、支軸１４、支軸１４の両端部に固着されたフレーム、版胴ギヤ、インキ供給装置１５等）から主に構成される。
【００１５】
印刷部２は、装置本体１１の略中央に配設されており、版胴１２とプレスローラ１３とを有している。
版胴１２は、インキ供給パイプを兼ねた支軸１４に回転自在に支持された図示しない一対の端板としてのドラムフランジと、各ドラムフランジの外周面に巻着・固定された版胴を構成する図示しない多孔性支持板と、図示しない多孔性支持板の外周面に巻装された図示しないメッシュスクリーンとから主に構成されている。版胴ユニット１２は、図示しないギヤおよび無端ベルトを備えた駆動力伝達手段を介して、上記メインモータ等を有する図示しない版胴駆動手段によって回転駆動されるとともに、装置本体１１に対して着脱可能に構成されている。版胴１２は、片面印刷時において最大でＡ３サイズの印刷物を得ることが可能な大きさを有している。
【００１６】
版胴１２の内部には、インキ供給手段１５が配設されている。インキ供給手段１５は、支軸１４、インキローラ１６、ドクターローラ１７等を有している。インキローラ１６は、版胴１２内に設けられた図示しない側板間に回転自在に支持されており、その周面を版胴１２の内周面に近接して配置され、版胴駆動手段からの回転力を伝達されて版胴１２と同方向に回転駆動される。ドクターローラ１７も前記側板間に回転自在に支持されており、その周面をインキローラ１６の周面に近接して配置され、版胴１２とは逆方向に回転駆動される。支軸１４には、複数の小さな孔が穿設されており、支軸１４から供給されたインキがインキローラ１６とドクターローラ１７との近接部に形成される断面楔形状の空間に溜まることによりインキ溜まり１８が形成される。
【００１７】
版胴１２の外周面上には、版胴１２の一母線に沿って平面をなすステージ部が形成されており、この上には版胴１２の外周面上にマスタの先端部を保持させるクランパ１９が配設されている。クランパ１９は、版胴１２が所定の位置まで回転されたときに図示しない開閉手段によって開閉される。
【００１８】
版胴１２の下方には、プレスローラ１３が配設されている。プレスローラ１３は金属製の芯部１３ａにゴム等の弾性体を巻成して構成されており、版胴１２の軸方向に延在して設けられている。プレスローラ１３は、芯部１３ａの両端部を一対の図示しないアーム部材によって回転自在に支持されている。各アーム部材は、略Ｌ字形状をなし、その曲折部近傍の部位に取り付けられた揺動軸によってそれぞれ一体化されており、揺動軸は装置本体１１によって回動自在に支持されている。
【００１９】
プレスローラ１３の下方には、再給紙レジストローラ２３が配設されている。
再給紙レジストローラ２３の上方近傍には、再給紙位置決め部材２４が配設されている。再給紙位置決め部材２４には、再給紙レジストローラ２３が揺動時に衝突しないための図示しない切欠部が形成されている。
プレスローラ１３の下方であって再給紙位置決め部材２４の左方には、再給紙搬送ユニット２５が配設されている。再給紙搬送ユニット２５は、その上面に再給紙トレイ８を一体的に有している。
【００２０】
プレスローラ１３の近傍であって再給紙搬送ユニット２５の上方に位置する部位には、プレスローラ１３の周面をクリーニングするクリーニングローラ２６が配設されている。プレスローラ１３の幅とほぼ同じ幅を有するクリーニングローラ２６は、少なくともその表面が和紙やスポンジ等の吸湿性の高い材質によって構成されており、その中心に芯部を一体的に有している。
クリーニングローラ２６の左上方には、ガイド板２７が配設されている。ガイド板２７は、板材からなり、その両端部を各アーム部材に固設されており、プレスローラ１３によって版胴１２に圧接された用紙Ｐがクリーニングローラ２６に触れないように、かつ再給紙トレイ８に向かうように案内する。ガイド板２７は、プレスローラ１３およびクリーニングローラ２６の周面に近接する位置に配設されている。
【００２１】
版胴１２とプレスローラ１３との接触位置の左方であって用紙Ｐの搬送経路上には、用紙Ｐの搬送経路を切り換える切換部材１０が配設されている。切換部材１０は、版胴１２およびプレスローラ１３とほぼ同じ幅を有する板材からなり、その用紙搬送方向下流側端部を装置本体１１に回動自在に支持された支軸に固着されており、ソレノイドが作動することによって断面鋭角状に形成された用紙搬送方向上流側端部を図１に実線で示す第１の位置と二点鎖線で示す第２の位置とに選択的に位置決めされる。
切換部材１０は、第１の位置を占めたときにその先端がプレスローラ１３の周面に近接するとともに版胴１２上のクランパ１９と干渉しない位置に置かれ、第２の位置を占めたときにその先端が版胴１２の周面に近接する位置に置かれる。版胴１２とプレスローラ１３との間を通過した用紙Ｐは、切換部材１０が第１の位置を占めたときに排紙部６へと案内され、切換部材１０が第２の位置を占めたときにガイド板２７と装置本体１１に固着されたガイド板５６との間を通って再給紙トレイ８へと案内される。
【００２２】
装置本体１１の右上方には、製版部３が配設されている。製版部３は、マスタ保持部材５７、プラテンローラ５８、サーマルヘッド５９、切断手段６０、マスタストック部６１、テンションローラ対６２、反転ローラ対６３等を有している。
マスタ保持部材５７は、装置本体１１の図示しない側板対にそれぞれ設けられており、熱可塑性樹脂フィルムと多孔性支持体とを貼り合わせたマスタ６４をロール状に巻成してなるマスタロール６４ａの芯部６４ｂの両端を回転自在かつ着脱自在に支持する。
【００２３】
マスタ保持部材５７の左方に設けられたプラテンローラ５８は、装置本体１１の図示しない側板に回転自在に支持されており、ステッピングモータを含む製版駆動手段によって回転駆動される。プラテンローラ５８の下方に位置し多数の発熱素子を有するサーマルヘッド５９は、装置本体１１の図示しない側板に取り付けられており、図示しない付勢手段の付勢力によってその発熱素子面をプラテンローラ５８に圧接されている。サーマルヘッド５９は、マスタ６４の熱可塑性樹脂フィルム面に接触しつつ発熱素子を選択的に発熱させ、マスタ６４に対して位置選択的に熱溶融穿孔製版を行う。
【００２４】
プラテンローラ５８およびサーマルヘッド５９の左方には、切断手段６０が配設されている。切断手段６０は、装置本体１１の図示しないフレームに固設された固定刃６０ａと、この固定刃６０ａに移動自在に支持された可動刃６０ｂとを有し、固定刃６０ａに対して可動刃６０ｂが回転移動することによりマスタ６４を切断する周知の構成である。
切断手段６０のマスタ搬送方向下流側下方には、マスタストック部６１が配設されている。マスタストック部６１は、製版済みマスタを一時的に貯容する空間を有し、複数の板部材によってその内部を仕切られており、その最奥部には図示しない吸引ファンが配設されている。この吸引ファンが作動することにより密閉された空間であるマスタストック部６１の内部に負圧が発生し、製版して搬送されてきた製版済みマスタはマスタストック部６１の最奥部に向けて貯容される。
【００２５】
切断手段６０とマスタストック部６１との間の部位には、テンションローラ対６２が配設されている。テンションローラ対６２は、それぞれ装置本体１１の図示しない側板に回転自在に支持された駆動ローラ６２ａと従動ローラ６２ｂとからなり、従動ローラ６２ｂが図示しない付勢手段によってその周面を駆動ローラ６２ａの周面に圧接されており、製版駆動手段１２４によって駆動ローラ６２ａが回転駆動されることによりマスタ６４を挟持して搬送する。
【００２６】
駆動ローラ６２ａは、その周速度がプラテンローラ５８の周速度よりも若干速く設定されているとともにその内部には図示しないトルクリミッタが設けられており、プラテンローラ５８とテンションローラ対６２との間においてマスタ６４に対して所定の張力が付与されるように構成されている。
【００２７】
マスタストック部６１のマスタ搬送方向下流側には、それぞれ装置本体１１の図示しない側板に回転自在に支持された駆動ローラ６３ａと従動ローラ６３ｂとからなる反転ローラ対６３が配設されている。反転ローラ対６３は、製版駆動手段１２４によって回転駆動される駆動ローラ６３ａと図示しない付勢手段によってこれに圧接配置された従動ローラ６３ｂとによってマスタ６４を挟持して搬送する。駆動ローラ６３ａの内部には図示しないワンウェイクラッチが設けられている。
【００２８】
また、テンションローラ対６２と反転ローラ対６３との間の部位には、図示しない可動マスタガイド板が配設されている。この可動マスタガイド板は図示しない支持部材に揺動自在に支持されており、図示しないソレノイドによってその上面がマスタ６４の搬送路を構成する搬送位置と、マスタ６４のマスタストック部６１への進入を妨げない退避位置とに選択的に位置決めされる。
【００２９】
製版部３の下方には、給紙部４が配設されている。給紙部４は、給紙トレイ６７、給紙ローラ６８、分離ローラ６９、分離パッド７０、レジストローラ対７１等を有している。上面に多数の用紙Ｐを積載可能な給紙トレイ６７は、装置本体１１に上下動自在に支持されており、昇降手段を含む給紙駆動手段によって上下動される。Ａ３サイズの用紙Ｐを縦置き可能な給紙トレイ６７の上面には、図示しないレール部材によって用紙搬送方向と直行する用紙幅方向に移動自在に支持された一対のサイドフェンス７２が設けられている。
【００３０】
また、給紙トレイ６７の自由端部側には、積載された用紙Ｐのサイズを検知する複数の用紙サイズ検知センサ７３が設けられている。用紙サイズ検知手段として機能する用紙サイズセンサ７３は、各センサの組み合わせによって用紙Ｐのサイズおよび向き（縦置きあるいは横置き）を検知する周知の構成である。
【００３１】
給紙トレイ６７の上方には、表面に高摩擦抵抗部材を有する給紙ローラ６８が配設されている。給紙ローラ６８は装置本体１１に揺動自在に支持された図示しないブラケットに回転自在に支持されており、給紙トレイ６７が図示しない昇降手段によって上昇されたときに所定の圧接力で給紙トレイ６７上の最上位の用紙Ｐに圧接する。給紙ローラ６８は給紙駆動手段１２５によって回転駆動される。
【００３２】
給紙ローラ６８の左方には、表面にそれぞれ高摩擦抵抗部材を有する分離ローラ６９と分離パッド７０とが配設されている。分離ローラ６９は、タイミングベルト６９ａを介して給紙ローラ６８に駆動連結されており、給紙ローラ６８の回転駆動時にこれと同期して同方向に回転駆動される。分離パッド７０は、図示しない付勢手段の付勢力によって分離ローラ６９に圧接されている。
【００３３】
分離ローラ６９および分離パッド７０の左方には、レジストローラ対７１が配設されている。レジストローラ対７１は、駆動ローラ７１ａと従動ローラ７１ｂとからなり、給紙駆動手段１２５に含まれる図示しないレジストローラ駆動モータによって駆動ローラ７１ａが版胴１２と同期した所定のタイミングで回転し、駆動ローラ７１ａに圧接された従動ローラ７１ｂとによって用紙Ｐを印刷部２に向けて所定のタイミングで給送する。
【００３４】
印刷部２の左上方には、排版部５が配設されている。排版部５は、上排版部材７４、下排版部材７５、排版ボックス７６、圧縮板７７等を有している。
上排版部材７４は、駆動ローラ７８、従動ローラ７９、無端ベルト８０等を有し、図示しない排版駆動手段によって駆動ローラ７８が図の時計回り方向に回転駆動されることにより無端ベルト８０が矢印方向に移動する。
【００３５】
下排版部材７５は、駆動ローラ８１、従動ローラ８２、無端ベルト８３等を有し、駆動ローラ７８を回転駆動する排版駆動手段１２６の駆動力をギヤやベルト等の図示しない駆動力伝達手段によって伝達されることで駆動ローラ８１が図の反時計回り方向に回転駆動されることにより、無端ベルト８３が図１の矢印方向に移動する。
また、下排版部材７５は、排版駆動手段１２６に含まれる図示しない移動手段によって移動自在に設けられており、図に示す位置と従動ローラ８２の外周面上に位置する無端ベルト８３が版胴１２の外周面に当接する位置とを選択的に占める。
【００３６】
排版ボックス７６は、内部に使用済みマスタを貯容する容器であり、装置本体１１に対して着脱自在に設けられている。上排版部材７４と下排版部材７５とによって運ばれた使用済みマスタを排版ボックス７６の内部に押し込む圧縮板７７は装置本体１１に上下動自在に支持されており、排版駆動手段１２６に含まれる図示しない昇降手段によって上下動される。
【００３７】
排版部５の下方には、排紙部６が配設されている。排紙部６は、剥離爪８４、排紙搬送ユニット８５、排紙トレイ８６等を有している。
剥離爪８４は、版胴１２の幅方向に複数配置され、装置本体１１に揺動自在に支持された支軸にそれぞれ一体的に取り付けられている。複数の剥離爪８４は、図示しない爪揺動手段によって揺動され、その先端が版胴１２の周面に近接する図に示す位置と、クランパ１９等の障害物を回避するためにその先端が版胴１２の外周面から離間する位置とを選択的に占める。図示しない爪揺動手段は、版胴駆動手段からの駆動力を図示しない駆動力伝達手段により伝達され、版胴１２の回転と同期して剥離爪８４を揺動させる。
【００３８】
剥離爪８４の下方であって切換部材１０の左方に配設された排紙搬送ユニット８５は、駆動ローラ８７、従動ローラ８８、無端ベルト８９、吸引ファン９０等を有している。コロ状の駆動ローラ８７は、図示しないユニット側板に回転自在に支持された図示しない支軸に所定の間隔で複数取り付けられており、図示しない排紙駆動手段によってそれぞれ一体的に回転駆動される。
【００３９】
従動ローラ８８も同側板に回転自在に支持された図示しない支軸に各駆動ローラ８７と等間隔で複数設けられており、各駆動ローラ８７およびこれと対応する各従動ローラ８８には複数の孔を有する無端ベルト８９がそれぞれ掛け渡されている。駆動ローラ８７、従動ローラ８８、無端ベルト８９の下方には、吸引ファン９０が配設されている。排紙搬送ユニット８５は、吸引ファン９０の吸引力によって各無端ベルト８９上に用紙Ｐを吸引し、各駆動ローラ８７の回転によって用紙Ｐを図１の矢印方向に搬送する。
排紙搬送ユニット８５によって搬送された用紙Ｐをその上面に積載する排紙トレイ８６は、用紙搬送方向に移動自在な１個のエンドフェンス９１と、用紙幅方向に移動自在な一対のサイドフェンス９２とを有している。
【００４０】
印刷装置本体１１の上部には、画像読取部７が配設されている。画像読取部７は、原稿を載置するコンタクトガラス９３、コンタクトガラス９３に対して接離自在に設けられた圧板９４、原稿画像を走査して読み取る反射ミラー９５、９６、９７、９８および蛍光灯９９、走査された原稿画像を集束するレンズ１００、集束された画像を光電変換処理するＣＣＤ等の画像センサ１０１、原稿のサイズを検知する複数の原稿サイズ検知センサ１０２等を有しており、原稿画像の読取動作は読取駆動手段１２８（図５参照）の作動によって行われる。
【００４１】
画像センサ１０１で光電変換処理されたアナログの画像データ（画像情報）は、Ａ／Ｄ変換器でデジタルの画像データ（画像情報）に変換処理され、さらにＣＣＤ画像処理部で周知の画像処理を施されて制御手段に送信・入力される。さらにデジタルの画像データは制御手段の制御下でサーマルヘッド画像処理部においてサーマルヘッド駆動用の処理（鏡像化）を施されて、サーマルヘッド駆動回路を介してサーマルヘッド５９へ送信される。
原稿サイズ検知手段として機能する原稿サイズセンサ１０２は、各センサの組み合わせによって原稿のサイズおよび向き（縦置きあるいは横置き）を検知する周知の構成である。
【００４２】
孔版印刷装置１は、さらに前記孔版原紙を製版するための製版画像を記憶する製版画像記憶手段と、製版画像の機密保持の要否に基づき、製版画像単位で機密保持指定の設定を入力する手段と、前記製版画像記憶手段に記憶された製版画像を操作部に表示する製版画像表示手段と、前記版胴ユニットの記憶装置とをさらに備える。
前記版胴ユニットの記憶装置は、保有する孔版原紙の製版画像に付与された製版画像番号を記憶することができ、さらに製版画像番号及び機密保持指定の有無を記憶することもできる。
【００４３】
前記制御手段は、前記版胴ユニットの記憶装置が、保有する孔版原紙の製版画像に付与された製版画像番号を記憶する態様において、前記版胴に装着されている製版画像の表示が要求された際に、前記製版画像番号から対応する製版画像の機密保持指定の有無を確認し、機密保持指定が無い場合のみ、対応する製版画像を前記製版画像記憶手段から呼び出して表示する制御を行う。
一方、前記制御手段は、前記版胴ユニットの記憶装置が、製版画像番号及び機密保持指定の有無を記憶する態様において、前記版胴に装着されている製版画像の表示が要求された際に、機密保持指定が無い前記製版画像番号である場合のみ、対応する製版画像を前記製版画像記憶手段から呼び出して表示する制御を行う。
【００４４】
図２は、孔版印刷装置１に用いられる前記制御手段のブロック図の例である。
図２に示すように、制御手段２０は、内部にＣＰＵ４３、ＲＯＭ４４、ＲＡＭ４５等を有するマイクロコンピュータであり、版胴ユニット１２０の記憶装置１２１、操作部３０からの動作信号及び検知信号に基づいて印刷部２、製版部３、給紙部４、排版部５、排紙部６、画像読取部（画像読取手段）７、画像メモリ４０（製版画像記憶手段）、再給紙手段９、切替部材１０、操作部３０の表示手段、版胴ユニット１２０の作動をそれぞれ制御する。
【００４５】
ＲＯＭ４４には孔版印刷装置１の動作プログラムが記憶されていると共に、ＲＡＭ４５には各種数値や製版画像のデータ（製版画像番号、機密保持の要否）等の情報が一時的に記憶され、ＣＰＵ４３はＲＡＭ４５に記憶された数値や情報等及びＲＯＭ４４から呼び出された動作プログラムに基づいて孔版印刷装置１の動作制御を行う。
【００４６】
孔版印刷装置１では、画像読取部７に原稿がセットされ製版開始が指示されることにより、排版部５が作動して排版動作が行われた後に製版部３が作動して製版動作が行われ、版胴１２に製版済みマスタが巻装されて片面印刷待機状態となる。その後、印刷枚数が置数された後に印刷開始が指示されることにより、給紙部４より用紙Ｐが連続的に給送されて片面印刷動作が行われる。置数された印刷枚数に達すると片面印刷動作が完了して孔版印刷装置１は再び片面印刷待機状態となる。
【００４７】
また、画像読取部７に原稿がセットされ両面印刷開始が指示された後に製版開始が指示されることにより、排版部５が作動して排版動作が行われた後に製版部３が作動して製版動作が行われ、版胴１２に分割製版済みマスタが巻装されて両面印刷待機状態となる。その後、印刷枚数が置数された後に印刷開始が指示されることにより、給紙部４より用紙Ｐが連続的に給送されて両面印刷が行われる。置数された印刷枚数に達すると両面印刷動作が完了して孔版印刷装置１は再び両面印刷待機状態となる。
【００４８】
図３は、本発明の孔版印刷装置における機密保持指定された製版画像のイメージ表示を製版画像単位で禁止する制御に係る制御手段の要部ブロック図の例である。
孔版印刷装置１は、図２に示したように操作部３０を備え、操作部３０は機密保持指定設定入力手段３１と、製版画像イメージ表示手段３２を備えている。
版胴ユニット１２０は孔版印刷装置１への着脱が可能であり、版胴ユニット１２０は記記憶装置１２１を備えている。
記憶装置１２１には、版胴ユニット１２０に装着されるマスタの有無、機密保持指定の有無に関する情報である。版胴ユニット１２０に装着されるマスタの有無とは、版胴１２にマスタが正常に巻かれているかどうかを表している。
【００４９】
孔版印刷装置１では、機密保持を要する画像の製版は、セキュリティモードで製版動作が行われる。このセキュリティモードでの動作時に製版されたマスタは「機密保持指定有り」、セキュリティモードが解除された状態での動作時に製版されたマスタは「機密保持指定無し」として入力され、この機密保持指定の有無が制御装置２０、さらに版胴ユニットの記憶装置１２１に記憶される。
この製版時のセキュリティモードの設定は、（製版される画像が、機密情報を含む画像であることを把握しているオペレータにより行われる）。
【００５０】
版胴ユニットの記憶装置１２１は、電源供給がされなくても一定期間データを保持することができる不揮発性のメモリである。これにより、孔版印刷装置１から版胴ユニット１２０とともに脱着があった場合でも、製版画像番号及びセキュリティ情報を保存しておくことが可能になる。
版胴ユニット１２０が孔版印刷装置１に装着されると、制御装置３０が版胴ユニットの記憶装置１２１から、版胴ユニットに装着されるマスタの有無、及び機密保持指定の有無に関する情報を読み取る。読み取った情報をもとに、制御装置２０が製版画像イメージを表示するかどうかを決定する。この流れを図４に示す。
【００５１】
制御手段２０における製版画像イメージ表示処理の流れを示すフローチャートを図４に示す。
図４に示すように、孔版印刷装置内の制御手段から製版画像イメージの表示命令があると（Ｓ１）、版胴ユニットの記憶装置１２１から「製版画像番号」、「版胴ユニットに装着されるマスタ（原紙）の有無」、及び「機密保持指定の有無」の情報を読み込む（Ｓ２）。なお、機密保持指定の有無の情報は、制御装置２０に記憶された情報を読み込んでもよい。
読み取った情報から、版胴ユニットに原紙が装着されているか否かを判断する（Ｓ３）。
版胴ユニットに原紙が装着されていない場合は、製版画像イメージを表示することはできないので、版胴ユニット１２０に原紙が未装着であることを表示する（Ｓ４）。
版胴ユニット１２０に原紙が装着されていれば、装着されている原紙に対して機密保持指定の設定が入力されているか否かを判断する（Ｓ５）。
機密保持指定の設定入力があった場合には、製版画像イメージは表示させず、機密情報であるため表示できないことを表示する（Ｓ６）。
版胴ユニット１２０に原紙が装着されていて、機密保持指定の設定入力がない場合は、装着されている原紙の製版画像イメージを表示する（Ｓ７）。
【００５２】
製版動作が開始されると、版胴ユニットの記憶装置１２１に、版胴ユニット１２０に装着されるマスタの有無、製版画像番号、及び機密保持指定の有無に関する情報が書き込まれる。
版胴ユニットの記憶装置１２１へ孔版原紙の機密保持指定の有無に関する情報を書込む処理の流れを示すフローチャートを図５に示す。
書込み処理は、製版の終了から開始され（Ｓ１１）、製版処理が正常終了したか否かが判断される（Ｓ１２）。製版処理の正常終了とは、排版、給版、巻装動作までが正常に動作し、版胴ユニット１２０にマスタ（原紙）が正常に巻きついた状態で終了したことを意味する。
製版処理が正常終了した場合は、版胴ユニット１２０に原紙が正常に装着された状態なので原紙装着フラグをＯＮにする（Ｓ１３）。
ステップ１２で正常終了ではない、すなわち排版、給版、巻装動作のいずれかで異常が発生し、異常終了した場合は、版胴ユニット１２０に原紙が正常に装着されていないか、または原紙が未装着になっているので、原紙装着フラグをＯＦＦにする（Ｓ１４）。
Ｓ１３で原紙装着フラグをＯＮにする処理を終えた後、孔版印刷装置１のセキュリティモードが動作中であるか否かを確認する（Ｓ１５）。セキュリティモードが動作中でなければ、機密保持指定の設定入力フラグをＯＦＦにする（Ｓ１６）。セキュリティモードが動作中の場合は、機密保持指定の設定入力フラグをＯＮにする（Ｓ１７）。
Ｓ１６またはＳ１７まで進行した場合、「版胴ユニットに装着される原紙の有無」及び「機密保持指定の有無」がフラグ情報として本体内に保存してあるので、これらのフラグ情報を版胴ユニットの記憶装置１２１に書き込んで（Ｓ１８）終了する。
【００５３】
以上のように、本発明の孔版印刷装置によれば、製版画像の機密保持指定を設定し、機密保持指定された製版画像のイメージ表示を製版画像単位で確実に禁止することが可能である。
【００５４】
なお、本体のセキュリティモードを設定し、機密保持指定された製版画像を製版したオペレータなどが、確認等のために当該機密保持指定を有する製版画像を表示させる場合には、機密保持指定の設定解除を行うことができる。
制御装置２０は、機密保持指定設定解除の入力を受けることにより、機密保持指定を有する製版画像を製版画像記憶手段から呼び出して表示することができる。
この場合、制御装置２０は、機密保持指定の設定解除の入力を受けた後、一定時間の経過後に強制的に機密保持指定の再設定を行う。
【００５５】
また、本発明の孔版印刷装置は、両面印刷の際、版胴ユニットの記憶装置１２１が、各面の機密保持指定の有無を個別に記憶し、制御手段２０により機密保持指定が無い面の製版画像のみが表示させることができる。
例えば、教育機関などで試験問題等の教材を印刷する場合に、片面に問題用紙を製版し、もう一方の面に模範解答を製版したとき、問題用紙は機密保持指定をせず、誰でも確認可能とし、解答の面は機密保持指定を行い、画像の表示を禁止して確認できないようにすることができる。
このように、本発明の孔版印刷装置によれば、機密情報を含む画像の印刷において、製版画像のプレビュー表示の際の利便性をはかりながら、高い情報セキュリティを確保することができる。
【符号の説明】
【００５６】
１        孔版印刷装置
２        印刷部
３        製版部（製版手段）
５        排版部（排版手段）
７        画像読取部（画像読取手段）
１１      装置本体
１２      版胴（ドラム）
３０      操作部
１２０    版胴ユニット
１２１    版胴ユニットの記憶装置
１００    制御手段
【先行技術文献】
【特許文献】
【００５７】
【特許文献１】特開２０１０−１４３２３０号公報
【特許文献２】特開２０００−３４３８０３号公報
【図１】
2013169718.tif 000003
【図２】
2013169718.tif 000004
【図３】
2013169718.tif 000005
【図４】
2013169718.tif 000006
【図５】
2013169718.tif 000007